【手続補正書】
【提出日】令和1年8月13日(2019.8.13)
【手続補正１】
【補正対象書類名】特許請求の範囲
【補正対象項目名】全文
【補正方法】変更
【補正の内容】
【特許請求の範囲】
【請求項１】
中心導体及び外部導体を有する複数のケーブル状信号伝送部材が連結されるプラグコネクタが、配線基板の主面に実装されるリセプタクルコネクタに嵌合される構成を備えたものであって、
前記プラグコネクタは、前記各ケーブル状信号伝送部材の中心導体に接続されて前記ケーブル状信号伝送部材の延在方向に延在する導電性のプラグコンタクトと、そのプラグコンタクトが複数体にわたって配列された絶縁性のプラグハウジングと、前記プラグハウジングに装着されて前記複数のケーブル状信号伝送部材の外部導体に接続される導電性のプラグシェルと、を備えているとともに、
前記リセプタクルコネクタは、前記プラグコネクタが嵌合された状態で、前記プラグコンタクトのそれぞれに接続される導電性の複数のリセコンタクトと、それら複数のリセコンタクトが配列される絶縁性のリセハウジングと、前記リセハウジングに配置され、前記プラグコネクタが嵌合された際に、前記プラグシェルに対して挟持する状態で接触する導電性のリセシェルと、を備えたケーブル用電気コネクタ装置において、
前記プラグシェルは、前記延在方向において予め定められた距離を隔てて設けられた一対のプラグ側遮蔽部材を有し、それら一対のプラグ側遮蔽部材の間部分に前記プラグコンタクトのそれぞれが配置されているとともに、
前記リセシェルは、前記延在方向に予め定められた距離を隔てて設けられた一対のリセ側遮断部材を有し、それら一対のリセ側遮蔽部材の間部分に前記リセコンタクトのそれぞれが配置され、
前記プラグコネクタとリセプタクルコネクタとが嵌合された状態において、前記一対のプラグ側遮蔽部材のうちの一方と前記一対のリセ側遮蔽部材のうちの一方とが対向配置されて、一組の二重遮蔽壁部が構成されているとともに、前記一対のプラグ側遮蔽部材のうちの他方と前記一対のリセ側遮蔽部材のうちの他方とが対向配置されて、他の一組の二重遮蔽壁部が構成され、
前記一組の二重遮蔽壁部と、前記他の一組の二重遮蔽壁部とは、前記延在方向に予め定められた距離を隔てて一対をなす状態に配置され、当該一対をなす二重遮蔽壁部同士の間部分に、前記プラグコンタクト及びリセコンタクトが配置されることを特徴とするケーブル用電気コネクタ装置。
【請求項２】
前記リセシェルは、前記延在方向に予め定められた距離を隔てて設けられた一対のリセ側遮断部材を前記延在方向に掛け渡す導電性のリセ側遮断接続部材を一対備え、
それら一対のリセ側遮断部材及び一対のリセ側遮断接続部材により形成された枠状体が、前記複数のリセコンタクトを予め決定された距離を隔てて囲んだ状態に配置されていることを特徴とする請求項１記載のケーブル用電気コネクタ装置。
【請求項３】
前記プラグシェルは、前記延在方向に予め定められた距離を隔てて設けられた一対のプラグ側遮断部材を前記延在方向に掛け渡す導電性のプラグ側遮断接続部材を一対備え、
それら一対のプラグ側遮断部材及び一対のプラグ側遮断接続部材により形成された枠状体が、前記複数のプラグコンタクトを予め決定された距離を隔てて囲んだ状態に配置されていることを特徴とする請求項１記載のケーブル用電気コネクタ装置。
【請求項４】
前記リセコンタクトが、前記プラグコンタクトとの接触部分から前記延在方向に延出する自由端部を有する一方、
前記リセハウジングは、前記一対のリセ側遮断部材及び一対のリセ側遮断接続部材に囲まれた状態に配置されているとともに、
前記リセハウジングに、前記リセハウジングを前記配線基板の主面と直交する方向に貫通した窓が設けられたものであって、
前記窓の開口部が、前記リセコンタクトの自由端部に対面した状態に配置されているこ
とを特徴とする請求項１記載のケーブル用電気コネクタ装置。
【請求項５】
前記プラグシェル及びリセシェルは、少なくとも嵌合時に接触する部分が、金属部材から構成されていることを特徴とする請求項１記載のケーブル用電気コネクタ装置。
【手続補正２】
【補正対象書類名】明細書
【補正対象項目名】０００７
【補正方法】変更
【補正の内容】
【０００７】
上記目的を達成するため請求項１にかかる発明では、中心導体及び外部導体を有する複数のケーブル状信号伝送部材が連結されるプラグコネクタが、配線基板の主面に実装されるリセプタクルコネクタに嵌合される構成を備えたものであって、前記プラグコネクタは、前記各ケーブル状信号伝送部材の中心導体に接続されて前記ケーブル状信号伝送部材の延在方向に延在する導電性のプラグコンタクトと、そのプラグコンタクトが複数体にわたって配列された絶縁性のプラグハウジングと、前記プラグハウジングに装着されて前記複数のケーブル状信号伝送部材の外部導体に接続される導電性のプラグシェルと、を備えているとともに、前記リセプタクルコネクタは、前記プラグコネクタが嵌合された状態で、前記プラグコンタクトのそれぞれに接続される導電性の複数のリセコンタクトと、それら複数のリセコンタクトが配列される絶縁性のリセハウジングと、前記リセハウジングに配置され、前記プラグコネクタが嵌合された際に、前記プラグシェルに対して挟持する状態で接触する導電性のリセシェルと、を備えたケーブル用電気コネクタ装置において、前記プラグシェルは、前記延在方向において予め定められた距離を隔てて設けられた一対のプラグ側遮蔽部材を有し、それら一対のプラグ側遮蔽部材の間部分に前記プラグコンタクトのそれぞれが配置されているとともに、前記リセシェルは、前記延在方向に予め定められた距離を隔てて設けられた一対のリセ側遮断部材を有し、それら一対のリセ側遮蔽部材の間部分に前記リセコンタクトのそれぞれが配置され、前記プラグコネクタとリセプタクルコネクタとが嵌合された状態において、前記一対のプラグ側遮蔽部材のうちの一方と前記一対のリセ側遮蔽部材のうちの一方とが対向配置されて、一組の二重遮蔽壁部が構成されているとともに、前記一対のプラグ側遮蔽部材のうちの他方と前記一対のリセ側遮蔽部材のうちの他方とが対向配置されて、他の一組の二重遮蔽壁部が構成され、前記一組の二重遮蔽壁部と、前記他の一組の二重遮蔽壁部とは、前記延在方向に予め定められた距離を隔てて一対をなす状態に配置され、当該一対をなす二重遮蔽壁部同士の間部分に、前記プラグコンタクト及びリセコンタクトが配置される構成が採用されている。
【手続補正３】
【補正対象書類名】明細書
【補正対象項目名】０００８
【補正方法】変更
【補正の内容】
【０００８】
このような構成を備えた本発明によれば、リセプタクルコネクタに対してプラグコネクタが嵌合された際に、プラグシェルの一部とリセシェルの一部とからなる一対の二重遮蔽壁部同士の間部分に、プラグコンタクト及びリセコンタクトが配置されることから、伝送信号に対して良好な電磁遮蔽作用が得られ、高周波伝送においても十分なＥＭＩ対策が可能となる。
【手続補正４】
【補正対象書類名】明細書
【補正対象項目名】０００９
【補正方法】変更
【補正の内容】
【０００９】
また、本発明における前記リセシェルは、前記延在方向に予め定められた距離を隔てて設けられた一対のリセ側遮断部材を前記延在方向に掛け渡す導電性のリセ側遮断接続部材を一対備え、それら一対のリセ側遮断部材及び一対のリセ側遮断接続部材により形成された枠状体が、前記複数のリセコンタクトを予め決定された距離を隔てて囲んだ状態に配置されていることが望ましい。
【手続補正５】
【補正対象書類名】明細書
【補正対象項目名】００１１
【補正方法】変更
【補正の内容】
【００１１】
さらに、本発明における前記プラグシェルは、前記延在方向に予め定められた距離を隔てて設けられた一対のプラグ側遮断部材を前記延在方向に掛け渡す導電性のプラグ側遮断接続部材を一対備え、それら一対のプラグ側遮断部材及び一対のプラグ側遮断接続部材により形成された枠状体が、前記複数のプラグコンタクトを予め決定された距離を隔てて囲んだ状態に配置されていることが望ましい。
【手続補正６】
【補正対象書類名】明細書
【補正対象項目名】００１３
【補正方法】変更
【補正の内容】
【００１３】
さらに、本発明においては、前記リセコンタクトが、前記プラグコンタクトとの接触部分から前記延在方向に延出する自由端部を有する一方、前記リセハウジングは、前記一対のリセ側遮断部材及び一対のリセ側遮断接続部材に囲まれた状態に配置されているとともに、前記リセハウジングに、前記リセハウジングを前記配線基板の主面と直交する方向に貫通した窓が設けられたものであって、前記窓の開口部が、前記リセコンタクトの自由端部に対面した状態に配置されていることが望ましい。